(57)【特許請求の範囲】
【請求項１】
集塵袋と台紙から成る紙パックを収容する集塵室と、
この集塵室の上部開口部を開閉自在に覆う蓋とを備え、
前記蓋は、底部と、少なくともこの底部の両側からほぼ垂直に立設した一対の側壁とを有するケースを裏面に備え、
前記集塵室内に配置され、前記紙パックの台紙が上方から下方に向かって挿入されて少なくとも前記台紙の両側部を支持する紙パック挿入ガイドと、
前記集塵室を収容する下ケースに設けられ、前記紙パック挿入ガイドに挿入された台紙の下端が到達して停止する部位であり、前記台紙の回動支点となる回動用凹部と、
前記集塵室の前壁のホース接続口に設けられたシールパッキンと、
前記台紙が前記シールパッキンに押しつけられた状態となる位置で、前記台紙を保持する紙パック固定部品とを備え、
前記紙パック挿入ガイドは、前端がほぼ鉛直に立設し、後端が、この後端と前記前端の間の距離が下部から上方へ進むに連れて徐々に大きくなる板状の２つの側面部と、この両側面部の前端同士を接続する水平部と、各側面部の後端から前記水平部と対向するようにほぼ垂直に延設された案内レールとから構成され、
前記紙パック固定部品は、前記紙パック挿入ガイドの水平部に回動自在に設けられ、外向きに凸な曲面を有する後端部と、この後端部の前方に設けられた爪部と、この爪部の前方に設けられ前記紙パックの台紙の上端部と嵌合することで前記紙パックを保持する台紙保持用凹部とを備え、
前記ケースの側壁の前端は、上方へ進むに連れて幅広の傾斜を有し、前記蓋の閉動作の進行と共に、前記紙パック挿入ガイドの案内レールに挿入された台紙を前方に押して行くことで前記回動用凹部を回動支点として前方に回動させ、
前記台紙は、前記前端の傾斜による前方への回動により、前記紙パック固定部品の後端部に当接した後、前記後端部の曲面に沿って前記爪部を押し上げ、さらに前記シールパッキンに押し付けた状態となる位置で、前記爪部を乗り越えて前記台紙保持用凹部に嵌合し、
前記紙パック固定部品は、自重または不勢力によって前記後端部が下向きに垂れ下がるように構成され、
前記蓋の裏面に設けられたリブと、
前記紙パック固定部品に設けられた突起部と、を備え、
前記台紙が前記案内レールに挿入されていない状態において、前記突起部は前記リブに当接することにより前記蓋が閉じるのを阻止することを特徴とする電気掃除機。
【請求項２】
含塵空気を外部から吸引する吸引動力部を備え、
前記蓋の裏面に設けられたケースの側壁の方向は前記蓋の長手方向とほぼ平行であり、  前記蓋が閉じている状態において、前記ケースと、前記蓋とで構成される管の前方開口部は前記集塵袋の前方上部と連通し、前記管の後方開口部は前記吸引動力部と連通することを特徴とする請求項１に記載の電気掃除機。
【請求項３】
前記ケースは、前記蓋とは別部品として構成され、前記蓋に取り付けられることを特徴とする請求項１又は請求項２に記載の電気掃除機。
【請求項４】
前記ケースは、前記蓋の裏側に一体的に形成され、
前記蓋の意匠が施される部位は、加飾用としての別部品を備えたことを特徴とする請求項１又は請求項２に記載の電気掃除機。
【発明の詳細な説明】
【技術分野】
【０００１】
本発明は、電気掃除機に関するものであり、特に集塵用紙パックの自動セット及びバイパス風路に関する。
【背景技術】
【０００２】
近年、電気掃除機本体の集塵室内に集塵袋である紙パックをセットする際に、紙パックの台紙（口枠）の挿入を案内するための台紙案内レールを両側に有する台紙支持板を設けることで挿入性を改善する傾向にある。紙パックを本体集塵室内にセットする際に、紙パックの台紙を手で起こして紙パック固定部品にセットすることで正規の位置に固定されるものが知られている。（例えば、特許文献１参照）。
【先行技術文献】
【特許文献】
【０００３】
【特許文献１】特開２００７−９７６３２号公報（第７頁〜第８頁、図７、図１０）
【発明の概要】
【発明が解決しようとする課題】
【０００４】
しかしながら、特許文献１に記載された従来の電気掃除機では、紙パックを電気掃除機本体の集塵室内にセットする際に、まず紙パックを挿入し、続いて、紙パック固定部品の引っ掛け部に引っ掛け、その後紙パックを紙パック固定部品に固定したことを確認してから蓋を閉じるといった３段階の操作が必要であり作業が煩雑である。また、紙パックの台紙を集塵室内に収容する際に、目が悪い人や手の不自由な人にはこの収容作業が非常に煩雑なものとなっていた。
また、紙パックの集塵袋内が、塵埃で満杯になると、集塵袋が膨張して蓋の裏面に密着するため、吸引路を確保できなくなり、吸引性能が著しく低下するという問題があった。
【０００５】
本発明は、このような問題点を解決するために為されたものであり、第１の目的は、紙パックの集塵袋が塵埃で満杯になった場合でも、吸引性能を持続することが可能な電気掃除機を提供することにある。
また、第２の目的は、電気掃除機本体の蓋の閉止動作と連動して紙パックを本体集塵室内に自動セットすることが可能な電気掃除機を提供することにある。
【課題を解決するための手段】
【０００６】
本発明に係る電気掃除機は、集塵袋と台紙から成る紙パックを収容する集塵室と、集塵室の上部開口部を開閉自在に覆う蓋とを備え、蓋は、底部と、少なくともこの底部の両側からほぼ垂直に立設した一対の側壁とを有するケースを裏面に備え、集塵室内に配置され、紙パックの台紙が上方から下方に向かって挿入されて少なくとも台紙の両側部を支持する紙パック挿入ガイドと、集塵室を収容する下ケースに設けられ、紙パック挿入ガイドに挿入された台紙の下端が到達して停止する部位であり、台紙の回動支点となる回動用凹部と、集塵室の前壁のホース接続口に設けられたシールパッキンと、台紙がシールパッキンに押しつけられた状態となる位置で、台紙を保持する紙パック固定部品とを備え、紙パック挿入ガイドは、前端がほぼ鉛直に立設し、後端が、この後端と前端の間の距離が下部から上方へ進むに連れて徐々に大きくなる板状の２つの側面部と、この両側面部の前端同士を接続する水平部と、各側面部の後端から水平部と対向するようにほぼ垂直に延設された案内レールとから構成され、紙パック固定部品は、紙パック挿入ガイドの水平部に回動自在に設けられ、外向きに凸な曲面を有する後端部と、この後端部の前方に設けられた爪部と、この爪部の前方に設けられ紙パックの台紙の上端部と嵌合することで紙パックを保持する台紙保持用凹部とを備え、ケースの側壁の前端は、上方へ進むに連れて幅広の傾斜を有し、蓋の閉動作の進行と共に、紙パック挿入ガイドの案内レールに挿入された台紙を前方に押して行くことで回動用凹部を回動支点として前方に回動させ、台紙は、前端の傾斜による前方への回動により、紙パック固定部品の後端部に当接した後、後端部の曲面に沿って爪部を押し上げ、さらにシールパッキンに押し付けた状態となる位置で、爪部を乗り越えて台紙保持用凹部に嵌合し、紙パック固定部品は、自重または不勢力によって後端部が下向きに垂れ下がるように構成され、蓋の裏面に設けられたリブと、紙パック固定部品に設けられた突起部と、を備え、台紙が案内レールに挿入されていない状態において、突起部はリブに当接することにより蓋が閉じるのを阻止するものである。
【発明の効果】
【０００７】
本発明によれば、ケースが高い抵抗力により、塵埃満杯により膨んだ紙パックの集塵袋がケースの底部より蓋に近づくのを禁止するため、蓋の裏面が集塵袋によって密着されることを防止できる。また、ケースの表面は平坦で滑らかであるため、紙パックの集塵袋がかなり高い圧力で押しても、集塵袋が破損するという問題がなくなる。また、本体裏面に突起がないため、本体の蓋の意匠面に加飾を施したい場合でも受治具の受け部が不均一となることがなく、加飾の自由度が高く、また量産の歩留まりも非常に良い。
【図面の簡単な説明】
【０００８】
【図１】本発明に係る電気掃除機の実施の形態１を示す外観斜視図である。
【図２】図１に示す電気掃除機本体５の外観図である。
【図３】本発明に係る電気掃除機の電気掃除機本体５の構成を示す概略分解斜視図である。
【図４】本発明に係る電気掃除機の電気掃除機本体５の詳細分解斜視図である。
【図５】本発明に係る電気掃除機の電気掃除機本体５の構成を示す側断面図（その１）である。
【図６】本発明に係る電気掃除機の電気掃除機本体５の構成を示す側断面図（その２）である。
【図７】図５の紙パック挿入ガイドの構成を示す図である。
【図８】本発明に係る電気掃除機の実施の形態１を示すケース５１４（紙パック自動セット及びバイパス風路を確保する手段）の構成図である。
【図９】図８の構成における紙パックの自動セット（自動装着）を示す説明図である。
【図１０】本発明に係る電気掃除機の実施の形態１におけるバイパス風路の構成を示す説明図である。
【図１１】本発明に係る電気掃除機の蓋のケースの別の例を示す図である。
【図１２】本発明に係る電気掃除機の蓋のケースのさらに別の例を示す図である。
【図１３】電気掃除機本体５の蓋５１に意匠が施されている例を示す図である。
【図１４】本発明に係る電気掃除機の蓋のケースとの対比を行うためのケースの例を示す図である。
【発明を実施するための形態】
【０００９】
実施の形態１.
図１は本発明に係る電気掃除機の実施の形態１を示す外観斜視図である。図１に示すように電気掃除機１００は、吸込具１と、吸引パイプ２と、接続パイプ３と、ホース４と、掃除機本体５とから構成されている。吸込具１は床面上の塵埃及び含塵空気を吸い込む。吸込具１の出口側には真直な円筒状の吸引パイプ２の一端が接続されている。吸引パイプ２の他端には、電気掃除機１００の運転を制御する動作スイッチ２ａが設置された取手が設けられており、中途にて若干折れ曲がった接続パイプ３の一端が接続されている。接続パイプ３の他端には、可撓性を有する蛇腹状のホース４の一端が接続されている。さらに、ホース４の他端には、掃除機本体５が接続されている。掃除機本体５は紙パック式およびサイクロン方式のいずれも共用可能な構造を有していることを特徴としており、図示しない電源コードを介して外部電源に接続され、動作スイッチ２ａにより通電されることで集塵動作を行う。吸込具１、吸引パイプ２、接続パイプ３およびホース４は、含塵空気を掃除機本体５の外から内部に流入させるための流通路の一部を構成する。
【００１０】
図２は図１に示す電気掃除機本体５の外観図であり、蓋を開けた状態を示している。図２（ａ）は、斜視図であり、紙パック６を装着した直後の状態を示しており、台紙のみが見えている。また、図２（ｂ）は、正面図であり、図２（ｃ）は側面図である。
【００１１】
また、図３は、本発明に係る電気掃除機の電気掃除機本体５の構成を示す概略分解斜視図であり、図４は本発明に係る電気掃除機の電気掃除機本体５の詳細分解斜視図である。
次に、電気掃除機本体５の構成を図２〜図４を用いて説明する。
図２〜図４に示すように、電気掃除機１００の掃除機本体５は、蓋５１と、上ケース５２と、下ケース５３と、下ケース５３に取り付けられ、電気掃除機本体５を手で持ち運びができるようにする為の取手５４と、下ケース５３に取り付けられた１つの前輪５５と、径が前輪より大きく、下ケース５３を回転移動可能なように支持する２つの後輪５６とを備えている。
【００１２】
次に、下ケース５３の内部構成について説明する。
図３において、左側を前方と呼び、右側を後方と呼ぶ。下ケース５３内の前方には集塵室５３１が設けられ、後方には吸引動力部５３２が設けられている。また、集塵室５３１と吸引動力部５３２との間には、セパレーター５３３が設けられており、ここにＨＥＰＡフィルターなどの微細塵を捕捉するフィルターが設置される。また、下ケース５３の前方にはホース４と接続する開口部であるホース接続口が集塵室５３１と連通する形で形成されており、このホース接続口はゴムなどの弾性部材から成るシールパッキン５３４で覆われている。
吸引動力部５３２は例えばモーターで構成されており、モーターに通電することで、塵埃を含む外気を吸込具１から流通路を介して集塵室５３１内に設けられた集塵袋内に吸引する。その他、掃除機本体５には、制御基板５３５、表示部、コードリール部５３６、排気口などが設けられている。
【００１３】
掃除機本体５の外から流入した含塵空気は、ホース接続口を介して、紙パック６を通過し、この紙パック６にて濾過され、濾過された空気はセパレーター５３３に設けられたＨＥＰＡフィルターなどのフィルター部と、吸引動力部５３２と、図示していない排気口を順に経て、掃除機本体５の外に排出されるよう構成されている。
【００１４】
次に、集塵室５３１の内部構成について説明する。図５は、本発明に係る電気掃除機の電気掃除機本体５の構成を示す側断面図であり、同時に紙パック６を紙パック挿入ガイド８２に挿入した直後の状態を示している。図５（ａ）は電気掃除機の電気掃除機本体５の全体構成を示す側断面図、図５（ｂ）は図５（ａ）中の丸印で示された部位の要部を拡大した図である。また、図６は、本発明に係る電気掃除機の電気掃除機本体５の構成を示す側断面図であり、同時に紙パック６を紙パック固定部品８１に装着した状態を示している。図６（ａ）は電気掃除機の電気掃除機本体５の全体構成を示す側断面図、図６（ｂ）は図６（ａ）中の丸印で示された部位の要部を拡大した図である。
図５（ａ）に示すように、集塵室５３１の内部には、紙パック固定部品８１と紙パック挿入ガイド８２（前述の台紙支持板に相当するもの）が設けられている。
紙パック固定部品８１は紙パック６を後述の所定位置で固定するものであり、図５（ｂ）に示すようにほぼ中央部の下端と紙パック挿入ガイド８２の水平部８２２の上端部に回動軸８１１を設け、この回動軸８１１を支点として上下方向に回動自在に支持され、後端部８１２の下端は断面形状が外側に凸のほぼ弧状の曲面で構成されている。また、この後端部８１２の下端には爪部８１３が形成されており、爪部８１３と回動軸８１１との間に紙パック６の台紙６１の上端部と嵌合する凹部８１４が形成されている。
【００１５】
紙パック固定部品８１は、紙パック６が装着されていない時は、図５（ｂ）に示すように紙パック固定部品８１の後端部側はやや下方に回動して下向きに垂れ下がるように構成されている。これを実現させるためには、紙パック固定部品８１の重心が回動軸８１１よりも後方になるように構成しても良いし、後方へ付勢力を与えるバネを用いても良い。
なお、この状態において、紙パック固定部品８１に設けられた突起部８１５が最も高くなるように位置づけられている。そして、ユーザーが蓋５１を閉じようとしても、蓋５１が完全に閉じる前に蓋５１に設けられたリブ５１１と紙パック固定部品８１の突起部８１５が当接するため、蓋５１は完全に閉じない。これにより、ユーザーが蓋が閉じない原因を調べることで、紙パック６が紙パック固定部品８１に未装着状態であることを認識できる。即ち、紙パック固定部品８１の突起部８１５と蓋５１のリブ５１１は紙パック未装着を検出する手段である。
また、下ケース５３の底部に設けられたリブ凹部８３は、紙パック６が紙パック挿入ガイド８２に沿って挿入された時に最終的に台紙６１の下端が行き着き、且つ停止する場所であり、このリブ凹部８３を回動支点として台紙６１の上部が手動で前後方向に回動可能となる。
【００１６】
図７は図５の紙パック挿入ガイドの構成を示す図であり、同時に紙パック６のセット手順を示している。図７に示すように、紙パック挿入ガイド８２は、前端がほぼ鉛直に立設し、後端が上部から下方へ進むに連れて徐々に幅が狭くなる傾斜を有する台形状の２つの側面部８２１と、この両側面部８２１、８２１の前端同士を接続する梁状の水平部８２２と、各側面部８２１、８２１の後端から水平部８２２と対向するようにほぼ垂直に延設された案内レール８２３、８２３とから構成されている。紙パック挿入ガイド８２を水平面で切断した断面形状は略Ｃ字状を呈する。
【００１７】
次に、紙パック６のセット手順について図５〜図７を用いて説明する。
紙パック６が装着されていない状態において、紙パック６を集塵室５３１内にセットする場合、図７（ａ）に示すように、まず、紙パック６を紙パック挿入ガイド８２の上方から紙パック挿入ガイド８２に向けて挿入する。この場合、紙パック挿入ガイド８２の上部の側面部８２１の幅が最も大きいため、挿入口の開口面積が大きく挿入し易い。また、台紙６１が挿入するとき、台紙６１の下端及び台紙６１の下面の両側部を両端の案内レール８２３に載せ、案内レール８２３に沿って下方へ滑り込ませるようにすれば、挿入がスムーズになる。
なお、図７では台紙６１のみしか図示していないが、実際には台紙６１と集塵袋６２が一体となった紙パック６が挿入される。集塵袋６２も一緒に図示すると、説明が難しくなるため、便宜上台紙６１のみを図示している。
このように紙パック６の台紙６１の両端を案内レール８２３に沿わせて挿入することにより、台紙６１の下端は下方への挿入が進むに連れて前方へ移動していく。従って、台紙６１の挿入が進むに連れて台紙６１の重心は次第に案内レール８２３側に移動するため、台紙６１は案内レール８２３側に倒れて行く。そして、意図的に台紙の上部を紙パック挿入ガイド８２内の最前部へ持って行かない限り、最終的に台紙６１を案内レール８２３上に載せた状態で挿入できる。
このため、台紙６１の上端部がその下端部よりも多少前向きの傾斜状態で台紙６１を紙パック挿入ガイド８２に挿入しても、上記の倒れ込み機構により支障なく挿入できるので、台紙の挿入傾斜角度の自由度が大きくなり、挿入操作が容易である。
【００１８】
ここで、重要なのは、従来例と異なり、バネを使用していないことである。バネを使用しなくても紙パックの挿入が容易であるだけでなく、バネを使用しないので、その分掃除機本体５の重量が軽くなる。また従来よりもバネの占有体積分紙パックの集塵容量が大きくなるというメリットがある。
次に、台紙６１の下端が案内レール８２３の下端を通り過ぎて下ケース５３の底部に設けられたリブのリブ凹部８３と当接すると、台紙６１の移動はそこで停止して、台紙６１の挿入は完了する。この時の状態が図５（ａ）、（ｂ）及び図７（ｂ）に示されている。
【００１９】
次に、手動で台紙６１の上部を前方に押す。これにより、紙パック６は台紙６１の下端が位置するリブ凹部８３を支点として前方へ回動し、台紙６１の上端部が紙パック固定部品８１の後端部８１２に当接する。さらに手動で台紙６１の上部を前方に押し込むと、後端部８１２は断面形状が外側に凸のほぼ弧状の曲面で構成されているため、紙パック固定部品８１の後端部８１２は台紙６１の上端部によって回動軸８１１を中心として上方へ持ち上げられる。そして、押し込みがさらに進んで紙パック固定部品８１の爪部８１３が台紙６１の上端部を載り超えると、紙パック固定部品８１の凹部８１４に台紙６１の上端部が嵌合することで紙パックは固定され、セットが完了する。この時、図４及び図６（ａ）に示すシールパッキン５３４に台紙６１を押し付けた状態で紙パック固定部品８１が台紙６１の上部を保持し、図７に示す台紙６１の穴６１Ｈとホース接続口５３４Ｈが一致するように位置決めされる。この時の状態が図６（ａ）、（ｂ）及び図７（ｃ）に示されている。
これにより、台紙６１の穴６１Ｈとホース接続口５３４Ｈは密着状態で連通されるため、ホース接続口５３４Ｈから吸引した塵はすべて集塵袋６２内に吸入され、それ以外に漏れることはなくなる。
なお、上記の例では、側面部８２１の形状をほぼ台形状としたが、これに限る必要はない。例えば下に凸のＣ字状曲線（所謂滑り台の描く曲線）でも良い。
【００２０】
次に、紙パック自動セット及びバイパス風路を確保する手段について説明する。
図８は、本発明に係る電気掃除機の実施の形態１を示すケース５１４（紙パック自動セット及びバイパス風路を確保する手段）の構成図である。図８（ａ）は電気掃除機本体５の蓋５１に設けられたケース５１４の配置位置を示す図であり、図８（ｂ）は、電気掃除機本体５の正面断面図である。図中、図５と同符号は同一または相当部分を示す。図８において、ケース５１４は、底部５１４１と、この底部５１４１の両側からほぼ垂直に立設した一対の側壁５１４２、５１４２とから構成されており、側壁５１４２は底部５１４１よりも前方にさらに延設され、底部５１４１より前方の部位は底部５１４１より下方にも延設されている。また、ケース５１４の側壁５１４２の前端は、上方へ進むに連れて幅が広くなる傾斜５１４３を有しており、側壁５１４２の底部５１４１よりも前方の部位は全体としてＵ字状またはＶ字状を描く面が形成されている。このように構成されたケース５１４は、蓋５１の裏面に設けられており、側壁５１４２の方向は蓋５１の長手方向とほぼ平行である。側壁５１４２の先端の傾斜５１４３は紙パック自動セット手段を構成する。
なお、ケース５１４の前端と後端は開口している。
【００２１】
図９は、図８の構成における紙パックの自動セット（自動装着）を示す説明図であり、図９（ａ）は蓋５１を閉じる前の電気掃除機本体の側断面図であり、図９（ｂ）は蓋５１を閉じた後の電気掃除機本体の側断面図である。図において、図５及び図８と同符号は同一または相当部分を示す。
次に、紙パックの自動セットについて図９を用いて説明する。
ユーザーは、紙パック６の台紙６１を手動で紙パック挿入ガイド８２の案内レール８２３に挿入し、台紙６１の下端がリブ凹部８３に到達して停止し、案内レール８２３への挿入が完了したことを確認した後、手動で蓋５１を閉じる。この蓋５１を手動で閉じる際に、蓋５１が閉塞位置まで下降するに連れて、図９に示すように蓋５１の裏面に設けられたケース５１４の側壁５１４２の傾斜した前端５１４３が案内レール８２３に挿入された台紙６１の上部に当接し、さらにこの台紙６１を前方に押して行く。これにより、台紙６１はリブ凹部８３を回動支点として前方に回動して行き、図５（ｂ）に示す蓋５１の裏面に設けられたリブ５１１が紙パック固定部品８１の突起部８１５に当接する前に、紙パック固定部品８１の後端部に当接した後、後端部の曲面に沿って爪部８１３を押し上げ、さらにシールパッキン５３４に押し付けた状態となる位置で、爪部８１３を載り越えて凹部８１４に嵌合する。以上で、紙パック６の自動セットが完了する。
【００２２】
このように、紙パックの自動セット（自動装着）手段を用いることにより、ユーザーは、紙パック６を集塵室５３１内に装着する場合には台紙６を紙パック挿入ガイド８２の案内レール８２３に挿入して蓋５１を閉じるだけで済む。即ち、手動で台紙６１を押して、紙パック固定部品８１に装着するという手間が省けるので、ユーザーの操作負荷が大いに軽減される。
【００２３】
図１０は、本発明に係る電気掃除機の実施の形態１におけるバイパス風路の構成を示す説明図である。図１０（ａ）は紙パック６の集塵袋６２内が満杯になる前の空気の流れを示す図であり、図１０（ｂ）は紙パック６の集塵袋６２内が塵埃で満杯になった状態の空気の流れを示す図である。
紙パックの集塵袋内が満杯になるまでの間、電気掃除機を運転すると、吸引動力部５３２の吸引力により、図９（ａ）に示すように集塵袋が膨れて外部から含塵空気が図１の吸込具１、吸引パイプ２、接続パイプ３およびホース４を通過して、シールパッキン５３４の付いたホース接続口、紙パック台紙６１の穴を介して紙パック６の集塵袋６２に流入する。集塵袋６２によって塵埃が捕捉された空気の流れは主流とバイパス流の二手に別れ、空気の主流は、後方のフィルターを通過して微細塵が取り除かれた後、セパレーター５３３、吸引動力部５３２（モーター）を通過して排気口から外部へ排出される。
一方、バイパス流は集塵袋６２の上部からケース５１４の前端の開口を介してケース５１４内を流れ、ケース５１４の後端の開口からセパレーター５３３、吸引動力部５３２を通過して排気口（図示せず）から外部へ排出される。
【００２４】
紙パック６の集塵袋６２内が塵埃で満杯になった状態で、電気掃除機１００の運転を継続すると、集塵袋６２の主流の風路の下流から順に塵埃が堆積し、圧縮されて行く。そして、集塵袋６２内の台紙６１と対向する側（図１０（ａ）の集塵袋６２の右側）から塵埃が溜まって行き、重力によりさらに集塵室５３１内の下部に溜まって行く。
仮にバイパス路が確保されていない場合、やがて塵埃で集塵袋６２が満杯となり、集塵室５３１内の下流側（図１０（ａ）の集塵室５３１内の右側）と底部を埋め尽くし、集塵室５３１の上部（蓋５１）まで達して、蓋５１に密着するようになる。こうなると、主流の流路が詰まっていき、次第に風路が細くなっていくため、圧力損失が大きくなり、吸引性能が急激に低下する。集塵袋６２内の前部はまだ塵埃の収容能力があるにも拘わらず、最終的には殆ど流れなくなって吸引できなくなってしまい、電力を多く消費するにも拘わらず、吸引できないという問題が発生する。また、モーターを冷却する空気が確保できなくなるため、長時間運転を継続すると、モーターの発熱が蓄積して、モーターの焼損を招く虞があり危険である。
【００２５】
そこで、ケース５１４の後端の開口、後端の開口及びケース５１４の中空部と蓋５１によって形成された管によってバイパス風路を構成することで、上記の問題を解決することができる。集塵袋６２が満杯になると、やがて集塵袋６２は集塵室５３１内の主流の下流側（図１０（ａ）の集塵室の右側）及び底部を埋め尽くし、集塵室５３１の上部（蓋５１）まで達しようとするが、ケース５１４によって、蓋５１まで埋め尽くすことができない。この時、空気の主流の風路は塞がってしまっているため、空気の流路は図９（ｂ）のように、バイパス風路を介して流れる。即ち、集塵袋６２内のまだ詰まっていなくて収容能力のある上流（図９の左側）に入り込み、そこから集塵袋６２内を上方へ昇って集塵袋６２を出て、ケース５１４の前端の開口部に流れ込み、ケース５１４内を通り、ケース５１４の後端の開口部から出た後、下降し、セパレーター５３３、吸引動力部５３２を通過して排気口（図示せず）から外部へ排出される。
【００２６】
このように、集塵袋が塵埃で満杯になることで、主流の風路が閉塞してもバイパス風路を確保出来るので、電気掃除機の吸引性能を維持することが可能になる。また、吸引動力部であるモーターを冷却する空気も確保できるのでモーターの焼損も発生しない。また、図１４に示すように蓋５１の裏面に複数の壁面を並設しても塵埃で満杯となって膨張した集塵袋の蓋への密着を阻止してバイパス流路を確保できるが、この場合はリブを集塵袋６２が押すことにより、集塵袋６２が破損し易い。これに対して、図８のケース５１４の底部５１４１の表面は平坦であるため、紙パックの集塵袋がかなり高い圧力で押しても、集塵袋が破損するという問題がなくなる。
【００２７】
図１１は、本発明に係る電気掃除機の蓋のケースの別の例を示す図である。図において、図８と同符号は同一または相当部分を示す。ケース５１４Ａは、波形の断面形状を有する滑らかな凹凸面で構成された底部５１４１Ａを備えており、蓋５１と別部品である点が図８のケースと異なる。図１４に示すように蓋５１の裏面に底部の無い複数の壁面（突起した面）を並設しても塵埃で満杯となって膨張した集塵袋６２の蓋５１への密着を阻止してバイパス風路を確保できるが、この場合は壁面を集塵袋６２が押すことにより、集塵袋６２が破損し易い。これに対して、図１１のケース５１４Ａの底部５１４１Ａの面は滑らかな曲面であるため、集塵袋６２が破損するという問題がなくなる。また、底部５１４１Ａが凹凸面で構成されるため、図８の底部５１４１よりも強度が高い。また、このケース５１４Ａを蓋５１とは別部品とし、蓋５１の裏面に突起がないため、蓋５１の意匠面に加飾を施したい場合でも受治具の受け部が不均一となることがなく、加飾の自由度が高く、また量産の歩留まりも非常に良い。
【００２８】
また、図１２は、本発明に係る電気掃除機の蓋のケースのさらに別の例を示す図である。図において、図８と同符号は同一または相当部分を示す。ケース５１４Ｂは、ケース５１４Ａと同様の波形の断面形状を有する滑らかな凹凸面で構成された底部５１４１Ｂを備えているが、蓋５１と一体である点が図１１のケースと異なる。
また、蓋５１の意匠が施される部位は、加飾用としての別部品とした点が図８と異なる。
上記のように、ケース５１４Ｂの底部５１４１Ｂの面は滑らかな曲面であるため、集塵袋６２が破損することは殆どない。
また、電気掃除機本体５の蓋の意匠が施される部位は、加飾用としての別部品を備えたので、デザイン性及び加飾デザインの自由度（塗装、ホットスタンプ、シルク印刷等）が非常に高くなり、商品価値を高めることができる。
なお、図１３は、電気掃除機本体５の蓋５１に意匠が施されている例を示す図であり、この例ではケース５１４の位置を示している。
【符号の説明】
【００２９】
１  吸込具、２  吸引パイプ、２ａ  動作スイッチ、３  接続パイプ、４  ホース、５  電気掃除機本体、６  紙パック、７Ｈ  開口部、５１  蓋、５２  上ケース、５３  下ケース、５４  取手、５５  前輪、５６  後輪、６１  台紙、６１Ｈ  穴、６２  集塵袋、８１  紙パック固定部品、８２  紙パック挿入ガイド、８３  リブ凹部、８４  紙パック半掛かり検知手段、１００  電気掃除機、５１１  リブ、５１２  リブ、５１４、５１４Ａ、５１４Ｂ  ケース（紙パック自動セット及びバイパス風路を確保する手段）、５１４Ｃ  リブ、５３１  集塵室、５３２  吸引動力部、５３３  セパレーター、５３４  シールパッキン、５３４Ｈ  ホース接続口、５３５  制御基板、５３６  コードリール部、８１１  回動軸、８１２  後端部、８１３  爪部、８１４  凹部、８１５  突起部、８１６  突起部、８１７  突起部、８２１  側面部、８２２  水平部、８２３  案内レール、８２４  凹部、５１４１、５１４１Ａ、５１４１Ｂ  底部、５１４２  側壁、５１４３  傾斜（紙パック自動セット手段）。
【図１】
0005589542.tif 000002
【図２】
0005589542.tif 000003
【図３】
0005589542.tif 000004
【図４】
0005589542.tif 000005
【図５】
0005589542.tif 000006
【図６】
0005589542.tif 000007
【図７】
0005589542.tif 000008
【図８】
0005589542.tif 000009
【図９】
0005589542.tif 000010
【図１０】
0005589542.tif 000011
【図１１】
0005589542.tif 000012
【図１２】
0005589542.tif 000013
【図１３】
0005589542.tif 000014
【図１４】
0005589542.tif 000015